(57)【要約】【課題】操作者が誤認することなくユニット条件の変更から変更したユニット条件の表示までの時間を短縮することができ、条件変更の可否にフレキシブルに対応することができるＸ線診断装置を提供することを目的とする。【解決手段】ユニット条件の変更可否の情報を記憶するメモリ部をユニット制御部毎に対応付けて備え、受信した当該変更可否の情報を記憶するコンソールメモリ部１４をコンソール制御部１１に対応付けて備える。ユニット条件の変更よりも事前に各ユニット制御部のメモリ部から各々の変更可否の情報をコンソール制御部１１のコンソールメモリ部１４に送信し、受信して当該コンソールメモリ部１４に記憶された各々の当該変更可否の情報に基づいてコンソール制御部１１はユニット条件の変更可否の判断を行い、その判断結果に基づいて変更したユニット条件をコンソール制御部１１はコンソール表示部１３に表示制御する。【選択図】図２
2017158952.tif 000002
【特許請求の範囲】
【請求項１】
複数のユニットを備えたＸ線診断装置であって、
各々の当該ユニットをそれぞれ制御するユニット制御手段と、
各々の当該ユニット制御手段を統括制御する統括制御手段と、
前記各ユニットに関するユニット条件を表示する表示手段と
を備え、前記Ｘ線診断装置は、さらに、
前記ユニット条件の変更可否の情報を記憶する第１記憶手段を前記ユニット制御手段毎に対応付けて備えるとともに、
受信した当該変更可否の情報を記憶する第２記憶手段を前記統括制御手段に対応付けて備え、
前記ユニット条件の変更よりも事前に前記各ユニット制御手段の前記第１記憶手段から各々の前記変更可否の情報を前記統括制御手段の前記第２記憶手段に送信し、
受信して当該第２記憶手段に記憶された各々の当該変更可否の情報に基づいて前記統括制御手段は前記ユニット条件の変更可否の判断を行い、
前記Ｘ線診断装置は、さらに、
その判断結果に基づいて変更した前記ユニット条件を前記表示手段に表示制御する表示制御手段を備えることを特徴とするＸ線診断装置。
【請求項２】
請求項１に記載のＸ線診断装置において、
前記表示制御手段は、前記ユニット条件が変更不可だと判断した場合に、当該変更不可に関する情報を前記表示手段に表示制御することを特徴とするＸ線診断装置。
【発明の詳細な説明】
【技術分野】
【０００１】
この発明は、医療用のＸ線診断装置に係り、特に、Ｘ線診断装置内の各ユニットに関するユニット条件に基づいて各々のユニットを設定する技術に関する。
【背景技術】
【０００２】
Ｘ線診断装置は、例えば、Ｘ線高電圧発生制御部やＸ線高電圧発生部やＸ線受像機制御部やＸ線受像機やＸ線可動絞り制御部やＸ線可動絞り（コリメータ）などを備えている。従来の据置型Ｘ線診断装置は、コンソール制御部やコンソール操作部（操作卓）やコンソール表示部などを内蔵したコンソールを操作室内に設置して備え、上述したＸ線高電圧発生制御部やＸ線高電圧発生部やＸ線受像機制御部やＸ線受像機やＸ線可動絞り制御部やＸ線可動絞りなどを透視撮影室内に設置している。操作室内に設置される各ユニットと透視撮影室内に設置される各ユニットとはケーブルなどで互いに電気的に接続されている。
【０００３】
従来の据置型Ｘ線診断装置では、操作者は意図した目的の検査を行うために、Ｘ線条件（管電圧、管電流、照射時間）、Ｘ線可動絞り条件（絞り量、付加フィルタの選択）をコンソール操作部から入力を行う。例えば、Ｘ線管の管球の種類によって、管電圧や管電流の定格がそれぞれ定められており、使用するＸ線管の管球を切り替える際には、定められた定格内の管電圧や管電流の組み合わせを入力してＸ線条件を変更する。
【０００４】
このように、各ユニットに関するユニット条件を変更する場合には、コンソール操作部から入力を行うことで、コンソール制御部から該当するユニットに、変更したユニット条件を送信する。つまり、Ｘ線条件などの変更内容は、コンソール制御部からＸ線高電圧発生制御部などの該当するユニットの制御部（ユニット制御部）へ送信され、その変更の可否が該当するユニットの制御部（ユニット制御部）にて判断される。そして、その変更したユニット条件をコンソール表示部に表示する。
【０００５】
その表示方式は、大別して下記の（１）（図７（ａ）を参照），（２）（図７（ｂ）を参照）と２つある。
【０００６】
（１）一方は、図７（ａ）に示すように、操作者によるユニット条件を変更する入力（図７（ａ）では「条件変更入力」と表記）を行った直後に、各ユニットの制御部（各ユニット制御部）の判断を待たずに先行して表示のみ変更するという方式である。この場合、条件変更入力を行った直後に、コンソール制御部からコンソール表示部に変更したユニット条件を送信（図７（ａ）では「表示変更内容送信」と表記）するとともに、各ユニット制御部にも当該ユニット条件を送信（図７（ａ）では「変更内容送信」と表記）する。受信した当該ユニット条件の可否を、該当するユニット制御部にて判断を行って、その判断結果をユニット制御部からコンソール制御部に送信（図７（ａ）では「変更可否結果送信」と表記）して、変更不可の場合のみコンソール制御部からコンソール表示部に変更前のユニット条件を再度に送信（図７（ａ）では「表示内容送信（変更不可の場合）」と表記）する。このように、各ユニット制御部による判断が変更不可であった場合には、変更を意図したユニット条件がコンソール表示部に一時的に表示され、その後に変更前のユニット条件に戻るという挙動を示すことになる。
【０００７】
（２）もう一方は、図７（ｂ）に示すように、ユニット条件の変更可否が各ユニットの制御部（各ユニット制御部）からコンソール制御部に返ってきた後に変更後のユニット条件（もしくは変更不可の場合には変更前のユニット条件）をコンソール表示部に表示するという方式である。この場合、条件変更入力を行った直後に、コンソール制御部から各ユニット制御部に変更後のユニット条件を送信（図７（ｂ）では「変更内容送信」と表記）するまでは図７（ａ）と同じである。図７（ａ）と相違して、コンソール制御部からコンソール表示部に変更後のユニット条件を送信せずに、受信した当該ユニット条件の可否を、該当するユニット制御部にて判断を行って、その判断結果をユニット制御部からコンソール制御部に送信（図７（ｂ）では「変更可否結果送信」と表記）する。そして、変更可能の場合にはコンソール制御部からコンソール表示部に変更後のユニット条件を送信（図７（ｂ）では「表示変更内容送信」と表記）し、変更不可の場合にはコンソール制御部からコンソール表示部に変更前のユニット条件に送信する。
【０００８】
上記の従来技術の（１）の表示方式の場合には、コンソールに変更を入力してから、その表示までの時間は短い（図７（ａ）のハッチングを参照）が、各ユニット制御部の判断が変更不可であった場合には変更前のユニット条件に戻るので、操作者が誤った条件として認識する恐れがある。また、例えば、条件を変更していないのにも関わらず入力操作に追いつけずに途中までの条件しか表示されないなどのように、意図していない条件の変化が起こり得るので、表示内容がどの時点での条件であるのか判らずに操作者が混乱する恐れがある。また、上記の従来技術の（２）の表示方式の場合には、各ユニット制御部の判断を待つ必要があるので、操作者の入力からコンソール表示部での表示が変更するまでに時間（図７（ｂ）のハッチングを参照）がかかる。
【０００９】
従来技術の課題は、上記（１）、（２）のいずれにおいても、コンソールへの操作者の変更の入力から、変更可否の判断に時間がかかっていることが問題である。これは、変更可否の判断を各ユニット制御部で行っているからであり、その通信に要する時間遅れが課題である。
【００１０】
そこで、統括制御するコンソール制御部（統括制御手段）に相当する信号条件付けモジュール(reprogrammable interface module 137)がユニット条件の変更を行い、該当する各ユニットに変更後のユニット条件を送信する技術がある（例えば、特許文献１参照）。この技術に、ユニット条件の変更可否の判断をも組み込んでコンソール制御部に行わせれば、上述した通信に要する信号遅延の課題を解決することができる。
【先行技術文献】
【特許文献】
【００１１】
【特許文献１】米国特許第８２８４２０８号明細書
【発明の概要】
【発明が解決しようとする課題】
【００１２】
しかしながら、このような構成を有する従来例の場合には、次のような問題がある。
すなわち、特許文献１：米国特許第８２８４２０８号明細書の技術に、ユニット条件の変更可否の判断をも組み込んでコンソール制御部に行わせるように対応することも可能であるが、固定された条件変更しか対応することができない。したがって、条件変更の可否にフレキシブルに対応することができない。
【００１３】
この発明は、このような事情に鑑みてなされたものであって、操作者が誤認することなくユニット条件の変更から変更したユニット条件の表示までの時間を短縮することができ、条件変更の可否にフレキシブルに対応することができるＸ線診断装置を提供することを目的とする。
【課題を解決するための手段】
【００１４】
この発明は、このような目的を達成するために、次のような構成をとる。
すなわち、この発明に係るＸ線診断装置は、複数のユニットを備えたＸ線診断装置であって、各々の当該ユニットをそれぞれ制御するユニット制御手段と、各々の当該ユニット制御手段を統括制御する統括制御手段と、前記各ユニットに関するユニット条件を表示する表示手段とを備え、前記Ｘ線診断装置は、さらに、前記ユニット条件の変更可否の情報を記憶する第１記憶手段を前記ユニット制御手段毎に対応付けて備えるとともに、受信した当該変更可否の情報を記憶する第２記憶手段を前記統括制御手段に対応付けて備え、前記ユニット条件の変更よりも事前に前記各ユニット制御手段の前記第１記憶手段から各々の前記変更可否の情報を前記統括制御手段の前記第２記憶手段に送信し、受信して当該第２記憶手段に記憶された各々の当該変更可否の情報に基づいて前記統括制御手段は前記ユニット条件の変更可否の判断を行い、前記Ｘ線診断装置は、さらに、その判断結果に基づいて変更した前記ユニット条件を前記表示手段に表示制御する表示制御手段を備えることを特徴とするものである。
【００１５】
［作用・効果］この発明に係るＸ線診断装置によれば、ユニット条件の変更可否の情報を記憶する第１記憶手段をユニット制御手段毎に対応付けて備えるとともに、受信した当該変更可否の情報を記憶する第２記憶手段を統括制御手段に対応付けて備える。そして、ユニット条件の変更よりも事前に各ユニット制御手段の第１記憶手段から各々の変更可否の情報を統括制御手段の第２記憶手段に送信し、受信して当該第２記憶手段に記憶された各々の当該変更可否の情報に基づいて統括制御手段はユニット条件の変更可否の判断を行う。さらに、その判断結果に基づいて変更したユニット条件を表示制御手段は表示手段に表示制御する。このように、ユニット条件の変更よりも事前に各ユニット制御手段の第１記憶手段から統括制御手段の第２記憶手段に変更可否の情報を送信して、当該変更可否の情報に基づいて統括制御手段自身がユニット条件の変更可否の判断を行うので、ユニット条件の変更から変更したユニット条件の表示までの時間を短縮することができる。また、統括制御手段がユニット条件の変更可否の判断を行った後に、その判断結果に基づいて変更したユニット条件を表示制御手段は表示手段に表示制御するので、操作者が誤認することなく変更したユニット条件を表示手段に表示することができる。さらに、変更可否の情報を記憶する第１記憶手段をユニット制御手段毎に対応付けて備え、受信した当該変更可否の情報を記憶する第２記憶手段を統括制御手段に対応付けて備えているので、各ユニット毎に変更可否の情報を作成して送信すれば、Ｘ線診断に関連したユニットを増設する場合や、新たなユニット条件を付加する場合においても、条件変更の可否にフレキシブルに対応することができる。その結果、操作者が誤認することなくユニット条件の変更から変更したユニット条件の表示までの時間を短縮することができ、条件変更の可否にフレキシブルに対応することができる。
【００１６】
上述した発明において、表示制御手段は、ユニット条件が変更不可だと判断した場合に、当該変更不可に関する情報（例えばエラーメッセージ）を表示手段に表示制御するのが好ましい。ユニット条件が変更不可だと判断した場合に、変更不可に関する情報を表示手段に表示制御することで、変更不可である場合においても当該変更不可に関する情報を表示手段により操作者に知らしめることができ、操作者が誤認することがない。
【発明の効果】
【００１７】
この発明に係るＸ線診断装置によれば、ユニット条件の変更可否の情報を記憶する第１記憶手段をユニット制御手段毎に対応付けて備えるとともに、受信した当該変更可否の情報を記憶する第２記憶手段を統括制御手段に対応付けて備える。そして、ユニット条件の変更よりも事前に各ユニット制御手段の第１記憶手段から各々の変更可否の情報を統括制御手段の第２記憶手段に送信し、受信して当該第２記憶手段に記憶された各々の当該変更可否の情報に基づいて統括制御手段はユニット条件の変更可否の判断を行う。さらに、その判断結果に基づいて変更したユニット条件を表示制御手段は表示手段に表示制御する。その結果、操作者が誤認することなくユニット条件の変更から変更したユニット条件の表示までの時間を短縮することができ、条件変更の可否にフレキシブルに対応することができる。
【図面の簡単な説明】
【００１８】
【図１】実施例に係るＸ線診断装置のブロック図である。
【図２】天板やＸ線管やフラットパネル型Ｘ線検出器（ＦＰＤ）や画像処理部を除いた図１のブロック図をより詳細に示した図である。
【図３】Ｘ線条件における定格の管電圧および管電流の組み合わせ範囲のテーブルの一例である。
【図４】Ｘ線高電圧発生制御部で制限されるＸ線条件である管電流時間積および撮影時間と、Ｘ線受像機の種類に応じて制限される撮影時間について、許容される組み合わせのテーブルの一例である。
【図５】実施例に係るシーケンスである。
【図６】変更不可に関する情報としてエラーメッセージを表示する場合におけるコンソール表示部の表示態様の一例である。
【図７】（ａ）は従来方式（１）のシーケンス、（ｂ）は従来方式（２）のシーケンスである。
【実施例】
【００１９】
以下、図面を参照してこの発明の実施例を説明する。
図１は、実施例に係るＸ線診断装置のブロック図であり、図２は、天板やＸ線管やフラットパネル型Ｘ線検出器（ＦＰＤ）や画像処理部を除いた図１のブロック図をより詳細に示した図である。本実施例では、Ｘ線受像機としてフラットパネル型Ｘ線検出器（以下、「ＦＰＤ」と略記する）またはＸ線フィルムを例に採って説明する。
【００２０】
本実施例に係るＸ線診断装置は、図１に示すように、患者である被検体Ｍを載置した天板１と、被検体Ｍに向けてＸ線を照射するＸ線管２と、Ｘ線管２から照射されて被検体Ｍを透過したＸ線を検出するフラットパネル型Ｘ線検出器（ＦＰＤ）３あるいはＸ線フィルム（図示省略）とを備えている。
【００２１】
この他に、Ｘ線診断装置は、ＦＰＤ３によって検出されたＸ線に基づいて画像処理を行う画像処理部４を透視撮影室Ｒ１内に設置して備えている。
【００２２】
また、Ｘ線診断装置は、天板駆動機構５１（図２も参照）と天板制御部５２（図２も参照）と天板メモリ部５３（図２を参照）とＸ線管駆動機構６１（図２も参照）とＸ線管制御部６２（図２も参照）とＸ線管メモリ部６３（図２を参照）とＸ線映像機駆動機構７１（図２も参照）とＸ線受像機制御部７２（図２も参照）とＸ線受像機メモリ部７３（図２を参照）とＸ線可動絞り（コリメータ）８１（図２も参照）とＸ線可動絞り駆動機構８２（図２も参照）とＸ線可動絞り制御部８３（図２も参照）とＸ線可動絞りメモリ部８４（図２を参照）とＸ線高電圧発生部９１（図２も参照）とＸ線高電圧発生制御部９２（図２も参照）とＸ線高電圧発生メモリ部９３（図２を参照）とを透視撮影室Ｒ１内に設置して備えている。天板制御部５２やＸ線管制御部６２やＸ線受像機制御部７２やＸ線可動絞り制御部８３やＸ線高電圧発生制御部９２は、この発明におけるユニット制御手段に相当する。
【００２３】
さらに、Ｘ線診断装置は、コンソール制御部１１（図２を参照）やコンソール操作部（操作卓）１２（図２を参照）やコンソール表示部１３（図２も参照）やコンソールメモリ部１４（図２を参照）などを内蔵したコンソール１０と、画像処理部４で画像処理を行って得られたＸ線画像を表示するモニタ２０とを操作室Ｒ２内に設置して備えている。「背景技術」の欄でも述べたように、操作室Ｒ２内に設置される各ユニットと透視撮影室Ｒ１内に設置される各ユニットとはケーブルなどで互いに電気的に接続されている。コンソール表示部１３は、この発明における表示手段に相当する。また、コンソール制御部１１は、この発明における統括制御手段に相当し、この発明における表示制御手段にも相当する。
【００２４】
天板駆動機構５１は天板１を駆動し、天板制御部５２は天板駆動機構５１を制御する。天板駆動機構５１は、モータやエンコーダ（図示省略）などで構成されている。Ｘ線管駆動機構６１はＸ線管２を駆動し、Ｘ線管制御部６２はＸ線管駆動機構６１を制御する。Ｘ線管駆動機構６１は、支柱やネジ棒やモータやエンコーダ（図示省略）などで構成されている。
【００２５】
Ｘ線映像機駆動機構７１はＦＰＤ３あるいはＸ線フィルムを搭載したカセッテ（図示省略）を駆動し、Ｘ線受像機制御部７２はＸ線映像機駆動機構７１を制御する。Ｘ線映像機駆動機構７１は、ラックやピニオンやモータやエンコーダ（図示省略）などで構成されている。
【００２６】
Ｘ線可動絞り８１はＸ線管２からのＸ線照視野を制御し、Ｘ線可動絞り駆動機構８２はＸ線可動絞り８１を駆動し、Ｘ線可動絞り制御部８３はＸ線可動絞り駆動機構８２を制御する。Ｘ線可動絞り駆動機８２は、モータやエンコーダ（図示省略）などで構成されている。Ｘ線高電圧発生部９１は、高電圧を発生して管電圧や管電流をＸ線管２に付与し、Ｘ線高電圧発生制御部９２はＸ線高電圧発生部９１を制御する。
【００２７】
コンソール制御部１１は、透視撮影室Ｒ１内に設置された各ユニットを統括制御し、特に天板制御部５２やＸ線管制御部６２やＸ線受像機制御部７２やＸ線可動絞り制御部８３やＸ線高電圧発生制御部９２を直接に統括制御する。コンソール操作部（操作卓）１２は、マウスやキーボードやジョイスティックやトラックボールやタッチパネルなどに代表されるポインティングデバイスで構成されている。
【００２８】
画像処理部４や天板制御部５２やＸ線管制御部６２やＸ線受像機制御部７２やＸ線可動絞り制御部８３やＸ線高電圧発生制御部９２やコンソール制御部１１は、中央演算処理装置（ＣＰＵ）などで構成されている。なお、画像処理部４については、ＧＰＵ(Graphics Processing Unit) などで構成されてもよい。
【００２９】
なお、図２に示すように、メモリ部５３，６３，７３，８４および９３（図２では天板メモリ部５３，Ｘ線管メモリ部６３，Ｘ線受像機メモリ部７３，Ｘ線可動絞りメモリ部８４およびＸ線高電圧発生メモリ部９３）をユニット制御部毎に対応付けて備えるとともに、コンソール１０（図１を参照）は、コンソールメモリ部１４をコンソール制御部１１に対応付けて備えている。具体的には、天板メモリ部５３は天板制御部５２に対応し、Ｘ線管メモリ部６３はＸ線管制御部６２に対応し、Ｘ線受像機メモリ部７３はＸ線受像機制御部７２に対応し、Ｘ線可動絞りメモリ部８４はＸ線可動絞り制御部８３に対応し、Ｘ線高電圧発生メモリ部９３はＸ線高電圧発生制御部９２に対応している。メモリ部５３，６３，７３，８４および９３は、この発明における第１記憶手段に相当し、コンソールメモリ部１４は、この発明における第２記憶手段に相当する。
【００３０】
メモリ部５３，６３，７３，８４および９３やコンソールメモリ部１４は、ＲＯＭ（Read-only Memory）やＲＡＭ（Random-Access Memory）などに代表される記憶媒体で構成されている。本実施例では、メモリ部５３，６３，７３，８４および９３は、ユニット条件の変更可否の情報をテーブル形式で記憶するように構成されており、コンソールメモリ部１４は、受信した当該変更可否の情報をテーブル形式で記憶するように構成されている。
【００３１】
なお、画像処理部４（図１を参照）についてもメモリ部（図示省略）を画像処理部４に対応付けて備え、画像処理部４による画像処理後のＸ線画像を書き込んで記憶し、適宜必要に応じて当該メモリ部からＸ線画像を読み出してモニタ２０（図１を参照）に送り込んで表示するように構成する。
【００３２】
ユニット条件の変更可否の情報として、Ｘ線高電圧発生メモリ部９３に記憶された変更可否の情報、およびＸ線受像機メモリ部７３に記憶された変更可否の情報を例に採って説明する。例えば、Ｘ線高電圧発生メモリ部９３に記憶された変更可否の情報としては、Ｘ線条件における定格の管電圧および管電流の組み合わせ範囲（図３を参照）などがあり、Ｘ線受像機メモリ部７３に記憶された変更可否の情報としては、Ｘ線受像機の種類（本実施例ではＦＰＤ，Ｘ線フィルム）に応じたＸ線条件と撮影時間の許容される組み合わせ（図４を参照）などがある。
【００３３】
先ず、Ｘ線条件における定格の管電圧および管電流の組み合わせ範囲について、図３を参照して具体的に説明する。図３は、Ｘ線条件における定格の管電圧および管電流の組み合わせ範囲のテーブルの一例である。図３に示すように、管球の種類Ｂのみにおける定格の管電圧および管電流の組み合わせ範囲を右上斜線のハッチングで図示するとともに、両方の管球の種類Ａ，Ｂにおける定格の管電圧および管電流の組み合わせ範囲をクロス斜線のハッチングで図示する。
【００３４】
つまり、管球の種類Ａに切り替えた際に、クロス斜線のハッチング外での管電圧および管電流の組み合わせについては、ユニット条件が変更不可だと判断される。一方、管球の種類Ｂに切り替えた際に、右上斜線のハッチング外での管電圧および管電流の組み合わせについては、ユニット条件が変更不可だと判断される。
【００３５】
続いて、Ｘ線高電圧発生部とＸ線受像機の種類に応じたＸ線条件と撮影時間の許容される組み合わせについて、図４を参照して具体的に説明する。図４は、Ｘ線高電圧発生制御部で制限されるＸ線条件である管電流時間積および撮影時間と、Ｘ線受像機の種類に応じて制限される撮影時間について、許容される組み合わせのテーブルの一例である。ここで、管電流時間積がＡ，Ｂ（Ａ＜Ｂ）と撮影時間ｔ１，ｔ2 （ｔ１＜ｔ2）とする。図４に示すように、Ｘ線受像機として、ＦＰＤを使用する場合と、Ｘ線フィルムを使用する場合とでユニット条件が異なる。
【００３６】
Ｘ線フィルムを使用する場合には、管電流時間積および撮影時間はＸ線高電圧発生制御部９２（図１および図２を参照）の制限のみを受ける。図４では管電流時間積Ｂ、撮影時間ｔ2のときにのみ制限を受け(図４ではＮＧと表記)、それ以外の条件では制限がない（図４では「ＯＫ」と表記）。一方、ＦＰＤを使用する場合には、撮影時間にさらに制限がある。例えば図４では、管電流時間積に関わらず、撮影時間ｔ2で制限がある（図４では「ＮＧ」と表記）ことになり、撮影時間ｔ１では制限がない（図４では「ＯＫ」と表記）。
【００３７】
つまり、Ｘ線フィルムを使用する場合には、Ｘ線高電圧発生制御部９２のユニット条件である管電流時間積と撮影時間との組み合わせがＡ−ｔ2でも変更可能だと判断される。一方、ＦＰＤを使用する場合には、撮影時間ｔ２では制限があるとして、これらのＸ線条件や撮影時間については、ユニット条件が変更不可だと判断される。
【００３８】
次に、本実施例のシーケンスについて、図５および図６を参照して説明する。図５は、実施例に係るシーケンスであり、図６は、変更不可に関する情報としてエラーメッセージを表示する場合におけるコンソール表示部の表示態様の一例である。
【００３９】
図５に示すように、ユニット条件の変更よりも事前に各ユニット制御部のメモリ部５３，６３，７３，８４および９３（図２を参照）から各々の変更可否の情報に関するテーブル（例えば、図３や図４を参照）をコンソール制御部１１（図２を参照）のコンソールメモリ部１４（図２を参照）に送信（図５では「判断テーブル送信」と表記）する。コンソール操作部１２（図２を参照）から入力を行うことで、操作者によるユニット条件を変更する入力（図５では「条件変更入力」と表記）を行った直後に、受信して当該コンソールメモリ部１４に記憶された各々の当該変更可否の情報に基づいてコンソール制御部１１はユニット条件の変更可否の判断を行う。
【００４０】
変更可否の情報に基づいてコンソール制御部１１によりユニット条件が変更可能だと判断した場合に、その判断結果に基づいて変更したユニット条件をコンソール表示部１３（図１および図２を参照）に送信（図５では「表示変更内容送信（変更可能の場合）」と表記）して当該コンソール表示部１３に表示する。変更可否の情報に基づいてコンソール制御部１１によりユニット条件が変更不可と判断した場合に、図６に示すように、当該変更不可に関する情報としてエラーメッセージ１３Ａをコンソール表示部１３に送信（図５では「エラーメッセージ送信（変更不可の場合）」と表記））して当該コンソール表示部１３に表示する。図６では、変更不可に関する情報としてエラーメッセージ１３Ａを表示したが、これに限定されない。例えば、警告を表す色（例えば赤色や黄色）をコンソール表示部１３に表示することで変更不可に関する情報として表示してもよいし、エラーを表すアイコンをコンソール表示部１３に表示することで変更不可に関する情報として表示してもよい。
【００４１】
本実施例に係るＸ線診断装置によれば、ユニット条件の変更可否の情報をテーブル形式で記憶する第１記憶手段（本実施例ではメモリ部５３，６３，７３，８４および９３）をユニット制御手段（本実施例では制御部５２，６２，７２，８３および９２）毎に対応付けて備えるとともに、受信した当該変更可否の情報をテーブル形式で記憶する第２記憶手段（本実施例ではコンソールメモリ部１４）を統括制御手段（本実施例ではコンソール制御部１１）に対応付けて備える。そして、ユニット条件の変更よりも事前に各ユニット制御手段（制御部５２，６２，７２，８３および９２）の第１記憶手段（メモリ部５３，６３，７３，８４および９３）から各々の変更可否の情報を統括制御手段（コンソール制御部１１）の第２記憶手段（コンソールメモリ部１４）に送信し、受信して当該第２記憶手段（コンソールメモリ部１４）に記憶された各々の当該変更可否の情報に基づいて統括制御手段（コンソール制御部１１）はユニット条件の変更可否の判断を行う。さらに、その判断結果に基づいて変更したユニット条件を表示制御手段（本実施例ではコンソール制御部１１）は表示手段（本実施例ではコンソール表示部１３）に表示制御する。
【００４２】
このように、ユニット条件の変更よりも事前に各ユニット制御手段（制御部５２，６２，７２，８３および９２）の第１記憶手段（メモリ部５３，６３，７３，８４および９３）から統括制御手段（コンソール制御部１１）の第２記憶手段（コンソールメモリ部１４）に変更可否の情報を送信して、当該変更可否の情報に基づいて統括制御手段（コンソール制御部１１）自身がユニット条件の変更可否の判断を行うので、ユニット条件の変更から変更したユニット条件の表示までの時間を短縮することができる。また、統括制御手段（コンソール制御部１１）がユニット条件の変更可否の判断を行った後に、その判断結果に基づいて変更したユニット条件を表示制御手段（コンソール制御部１１）は表示手段（コンソール表示部１３）に表示制御するので、操作者が誤認することなく変更したユニット条件を表示手段（コンソール表示部１３）に表示することができる。
【００４３】
さらに、変更可否の情報をテーブル形式で記憶する第１記憶手段（メモリ部５３，６３，７３，８４および９３）をユニット制御手段（制御部５２，６２，７２，８３および９２）毎に対応付けて備え、受信した当該変更可否の情報をテーブル形式で記憶する第２記憶手段（コンソールメモリ部１４）を統括制御手段（コンソール制御部１１）に対応付けて備えているので、各ユニット毎に変更可否の情報を作成して送信すれば、Ｘ線診断に関連したユニットを増設する場合や、新たなユニット条件を付加する場合においても、条件変更の可否にフレキシブルに対応することができる。その結果、操作者が誤認することなくユニット条件の変更から変更したユニット条件の表示までの時間を短縮することができ、条件変更の可否にフレキシブルに対応することができる。
【００４４】
本実施例では、表示制御手段（コンソール制御部１１）は、図６に示すようにユニット条件が変更不可だと判断した場合に、当該変更不可に関する情報（図６ではエラーメッセージ１３Ａ）を表示手段（コンソール表示部１３）に表示制御するのが好ましい。ユニット条件が変更不可だと判断した場合に、変更不可に関する情報（エラーメッセージ１３Ａ）を表示手段（コンソール表示部１３）に表示制御することで、変更不可である場合においても当該変更不可に関する情報（エラーメッセージ１３Ａ）を表示手段（コンソール表示部１３）により操作者に知らしめることができ、操作者が誤認することがない。
【００４５】
この発明は、上記実施形態に限られることはなく、下記のように変形実施することができる。
【００４６】
（１）上述した実施例では、図１に示す撮影態様（術式）であったが、被検体を人体としたＸ線診断装置であれば、侵襲的な検査（外科に準じた検査）に使用される外科用Ｘ線診断装置などに例示されるように、特に限定されない。また、撮影よりも弱い線量のＸ線を照射しながらＸ線画像をリアルタイムに表示して透視を行うＸ線診断装置に適用してもよい。また、Ｘ線ＣＴ(Computed Tomography)装置などの断層撮影を行うＸ線診断装置に適用してもよい。
【００４７】
（２）上述した実施例では、Ｘ線受像機としてフラットパネル型Ｘ線検出器（ＦＰＤ）またはＸ線フィルムを例に採って説明したが、イメージインテンシファイアなどに例示されるように、Ｘ線受像機については特に限定されない。
【００４８】
（３）上述した実施例では、変更したユニット条件を表示する表示手段として、図１および図２に示すコンソール表示部１３を用いたが、図１に示すＸ線画像を表示するモニタ２０が、表示手段を兼用するように構成してもよい。
【００４９】
（４）上述した実施例では、図６に示すようにユニット条件が変更不可だと判断した場合に、当該変更不可に関する情報（図６ではエラーメッセージ１３Ａ）を表示手段（コンソール表示部１３）に表示制御したが、必ずしも変更不可に関する情報を表示手段に表示制御する必要はない。
【００５０】
（５）上述した実施例では、Ｘ線診断装置は１つの統括制御手段（実施例ではコンソール制御部１１）を備えたが、複数の統括制御手段（コンソール制御部）を備えてもよい。Ｘ線診断装置が複数の統括制御手段（コンソール制御部）を有する場合には、それら全ての統括制御手段（コンソール制御部）に、ユニット条件の変更可否の情報をテーブル形式で送信する。
【００５１】
（６）上述した実施例では、統括制御手段と表示制御手段とを１つの制御部（実施例ではコンソール制御部１１）が兼用したが、それぞれ別に分けて備えてもよい。
【産業上の利用可能性】
【００５２】
以上のように、この発明は、据置型Ｘ線診断装置に適している。
【符号の説明】
【００５３】
１１  …  コンソール制御部
１３  …  コンソール表示部
１３Ａ  …  エラーメッセージ
１４  …  コンソールメモリ部
５２  …  天板制御部
６２  …  Ｘ線管制御部
７２  …  Ｘ線受像機制御部
８３  …  Ｘ線可動絞り制御部
９２  …  Ｘ線高電圧発生制御部
５３  …  天板メモリ部
６３  …  Ｘ線管メモリ部
７３  …  Ｘ線受像機メモリ部
８４  …  Ｘ線可動絞りメモリ部
９３  …  Ｘ線高電圧発生メモリ部
Ｍ  …  被検体
【図１】
2017158952.tif 000003
【図２】
2017158952.tif 000004
【図３】
2017158952.tif 000005
【図４】
2017158952.tif 000006
【図５】
2017158952.tif 000007
【図６】
2017158952.tif 000008
【図７】
2017158952.tif 000009